(57)【要約】【課題】ゼッケン等の表示体をユニフォームや体操着等の衣服に容易に着脱することが出来ると共に、確実に固定することを目的とする。【解決手段】基体１０の表面１２には背番号１８が設けられ、基体１０の裏面１１には、ユニフォーム５に設けられた１対の挿入孔５７、５８に夫々挿入可能な１対の突出片３１、３２を備えて構成される固定部３が複数設置され、前記１対の突出片３１、３２を重ねた際に対向する対向部３１０、３２０には、前記１対の突出片３１、３２同士を結合させる結合部材４が設置されているゼッケン１。【選択図】  図１
2019056748.tif 000002
【特許請求の範囲】
【請求項１】
基体の表面には表示部が設けられ、基体の裏面には、衣服に設けられた１対の挿入孔に夫々挿入可能な１対の突出片を備えて構成される固定部が複数設置され、前記１対の突出片を重ねた際に対向する対向部には、前記１対の突出片同士を結合させる結合部材が設置されていることを特徴とする表示体。
【請求項２】
基体の表面には表示部が設けられ、基体の裏面には、衣服に設けられた１対の挿入孔に夫々挿入可能な１対の突出片を備えて構成される固定部が複数設置され、前記１対の突出片を重ねた際に対向する対向部には、前記１対の突出片同士を結合させる結合部材が設置されている表示体の前記１対の突出片が衣服に設けられた１対の挿入孔に夫々挿入され、前記１対の突出片同士を重ねて、前記結合部材で前記１対の突出片同士を固定し、表示体の衣服への固定が行われていることを特徴とする表示体の衣服への固定構造。
【発明の詳細な説明】
【技術分野】
【０００１】
本発明は、個人を特定するための各種文字、記号、数字等或いは衣服を装飾する模様等の表示部が設けられた表示体及び当該表示体の衣服への取付構造に関し、具体的には、主に、表示体たるゼッケン及びゼッケンの衣服たる運動用ユニフォーム（以下「ユニフォーム」という。）への取付構造に関する。
【背景技術】
【０００２】
各種スポーツの大会において、競技者はユニフォームに背番号を付けてプレーを行っている。背番号の表示は、数字がユニフォームに直接プリントされたものや数字形状の布体をユニフォームに直接縫付けたものの他に、ユニフォームとは別個の基体に数字がプリントされ或いは数字形状の布体が縫付けられたゼッケンが用いられている。
【０００３】
このゼッケンには、数字等が表示された基体をユニフォームに固定するものと、肩紐等によって体に着装させるものがある。そして、数字が表示された基体をユニフォームに固定するゼッケンの固定方法として、従来基体をユニフォームに縫付けることが行われている。又、名前、学年、クラス等が記載されたゼッケンを体操着に縫付けることも行われている。
【０００４】
しかし、ゼッケンをユニフォームや体操着に縫付けることは、縫製作業のみでも作業が煩雑で手間がかかり充分に面倒であるのに、更に、縫製作業のほかに正確な位置合わせが必要なこともあり、極めて面倒であり、又、ゼッケンをユニフォームや体操着から取り外す作業も容易ではなかった。従って、ゼッケンに表示する内容の変更が必要となった場合には、表示内容の変更が容易ではなかった。
【０００５】
そこで、ゼッケンの裏面に粘着剤層や接着剤層を設けて、ゼッケンをユニフォームに接着して固定する構成が提案されている（特許文献１及び特許文献２）。又、フレキシブルな透明シートを重ねて１辺にファスナーを設けた袋状のホルダーを衣服に縫い付けて、ホルダー内に数字等が記載された識別体を挿入する構成が提案されている（特許文献３）。
【０００６】
更に、ゼッケンに雌型ホックが形成された表面ホックを固定し、体操服の裏側から、雄型ホックが形成された裏面ホックを表面ホックに嵌め合わせて、体操服にゼッケンを固定する構成（特許文献４）や、ゼッケンと体操服を重ねて、ピン体部が突設された取付部材と挿入孔が形成された止め具で、挿入孔にピン体部を挿入させてゼッケン及び体操服を挟持させ、体操服にゼッケンを固定する構成（特許文献５）が提案されている。
【０００７】
又、運動着のゼッケンを取付ける部分に紐もしくは布をループ状に取り付け、該ループにゼッケンに取り付けた安全ピンを通し又は該ループとゼッケンをクリップで挟み、運動着にゼッケンを固定する構成が提案されている（特許文献６）。
【先行技術文献】
【特許文献】
【０００８】
【特許文献１】実用新案登録第３２０２７５２号公報
【特許文献２】特開２００９−７５２２７号公報
【特許文献３】特開２０１３−１５８０２号公報
【特許文献４】特開２００３−１５００６３号公報
【特許文献５】特許第４０３８１７５号公報
【特許文献６】特開２００６−２８７１６号公報
【発明の概要】
【発明が解決しようとする課題】
【０００９】
しかし、特許文献１及び特許文献２の構成は、粘着剤や接着剤の布製品同士を接着させる強度が弱いことや劣化が早いこと、又、ゼッケンとユニフォームの間に砂等の塵芥が固定されてしまうことから、ゼッケンが剥がれ易いという問題点があった。又、特許文献３の構成は、激しい動きをするスポーツではホルダーが邪魔であると共にホルダーで着用者又は相手選手を傷つけてしまう危険があり、又、布同士の縫付けと異なって、透明シートのホルダーを布に縫い付けるため、透明シートの破損や糸の切断が生じやすく、ホルダー及び識別体の固定が確実ではないという問題点があった。
【００１０】
特許文献４及び特許文献５の構成は、ホック、取付部材及び止め具がゼッケン及び被服の表面に露出し、肌に接触する構成であるので、着用者が違和感や不快感を感じるという問題点や、着用者又は相手選手を傷つけてしまう危険があり、又、ホック、取付部材及び止め具がゼッケン及び被服の表面に露出すると共にゼッケンと体操服を重ねて挟持する構成であるので、ホック、取付部材及び止め具がはずれ易く、ゼッケンがはずれ易いという問題点があった。又、特許文献６の構成は、安全ピンやクリップが着用者又は相手選手を傷つけてしまう危険があるという問題点があった。
【００１１】
そこで、本発明は、ゼッケン等の表示体をユニフォームや体操着等の衣服に容易に着脱することが出来ると共に、確実に固定することを目的とする。又、本発明は、激しい動きをするスポーツで使用しても邪魔にならないと共に着用者又は相手選手を傷つけることなくゼッケン等の表示体をユニフォームや体操着等の衣服へ固定することを目的とする。更に、着用者が違和感や不快感を感じることなく、ゼッケン等の表示体をユニフォームや体操着等の衣服へ固定することを目的とする。
【課題を解決するための手段】
【００１２】
以上のような課題を解決するための手段としての本発明は、基体の表面には表示部が設けられ、基体の裏面には、衣服に設けられた１対の挿入孔に夫々挿入可能な１対の突出片を備えて構成される固定部が複数設置され、前記１対の突出片を重ねた際に対向する対向部には、前記１対の突出片同士を結合させる結合部材が設置されていることを特徴とする表示体である。
【００１３】
又、基体の表面には表示部が設けられ、基体の裏面には、衣服に設けられた１対の挿入孔に夫々挿入可能な１対の突出片を備えて構成される固定部が複数設置され、前記１対の突出片を重ねた際に対向する対向部には、前記１対の突出片同士を結合させる結合部材が設置されている表示体の前記１対の突出片が衣服に設けられた１対の挿入孔に夫々挿入され、前記１対の突出片同士を重ねて、前記結合部材で前記１対の突出片同士を固定し、表示体の衣服への固定が行われていることを特徴とする表示体の衣服への固定構造である。
【発明の効果】
【００１４】
以上のような本発明によれば、ゼッケン等の表示体をユニフォームや体操着等の衣服に容易に着脱することが出来ると共に、確実に固定することが出来た。又、本発明によれば、激しい動きをするスポーツで使用しても邪魔にならないと共に着用者又は相手選手を傷つけることなくゼッケン等の表示体をユニフォームや体操着等の衣服へ固定することが出来た。更に、着用者が違和感や不快感を感じることなく、ゼッケン等の表示体をユニフォームや体操着等の衣服へ固定することが出来た。
【図面の簡単な説明】
【００１５】
【図１】本発明一実施例正面図
【図２】本発明表示体の一実施例裏面図
【図３】本発明表示体の他実施例裏面図
【図４】本発明表示体の一実施例部分拡大図
【図５】本発明表示体の他実施例部分拡大図
【図６】固定部の実施例を示す図
【図７】表示体の衣服への固定構造を示す分解斜視図
【図８】表示体の衣服への固定構造を示す断面図
【発明を実施するための形態】
【００１６】
以下、本発明の実施の形態を図を参照して説明する。本発明の表示体は、基体の表面には表示部が設けられ、基体の裏面には、衣服に設けられた１対の挿入孔に夫々挿入可能な１対の突出片で構成される固定部が複数設置され、前記１対の突出片を折り畳んで重ねた際に対向する対向部には、前記１対の突出片同士を結合させる結合部材が設置されている。
【００１７】
衣服にはユニフォーム、体操着のほか、制服、通常の衣服等が含まれ、表示部には個人を特定するための各種文字、記号、数字等或いは衣服を装飾する模様等が含まれ、表示体にはゼッケンのほか衣服を修飾するワッペン、名札等が含まれる。以下、衣服としてユニフォーム、表示体としてゼッケンを例に説明する。
【００１８】
図１に示すように、四角形のゼッケン１の布製の基体１０の表面１２には、表示部としての背番号１８が基体１０とは別個の布を縫製することにより固定されて設けられている。背番号は、印刷、基体とは別個の布の接着剤による固定、基体とは別個の不織布や合成樹脂シートの接着剤や縫製による固定、刺繍、油性ペンを用いた手書き等により表示されて設けられる構成としてもよい。又、本発明において、ゼッケン１はユニフォーム５へ着脱自在に構成されている。
【００１９】
図２によく示すように、ゼッケン１の基体１０の裏面１１には１対の突出片３１、３２を備えて構成される固定部３が複数設置されている。固定部３は、ゼッケン１をユニフォーム５に固定するための部材であり、少なくともゼッケン１の両側上端部に設ければよいが、ゼッケンのめくれを防止するために、ゼッケン１の四隅に設けることが好ましい。更に、固定部３は、ゼッケン１のヨレやユニフォーム５との離間を防止するために、ゼッケン１の四隅及び外周端部に設けることがより好ましい。尚、図示はしないが、固定部３は、ゼッケン１の外周端部以外の部分に設けることとしてもよい。図１及び図２に示す実施の形態において、固定部３はゼッケン１の縦辺に４個、横辺に４個設けられた構成が図示されているが、ゼッケン１の縦辺及び横辺夫々に設ける固定部３の数は限定されず、ゼッケン１の外周端部に設ける固定部３同士の間隔は特に限定されない。
【００２０】
図４に示すように、１対の突出片３１、３２は突出片の平面部分の平面部３０が対向可能に設置され、１対の突出片３１、３２の長さＬ、Ｎ及び間隔Ｗは、１対の突出片３１、３２の長さＬ、Ｎの合計が突出片３１、３２の間隔Ｗより長く構成されていれば特に限定されない。このように構成することで、対の突出片３１、３２が折り畳まれた際に対向して重なる平面部３０が生じる。そして、１対の突出片３１、３２が重なるように折り畳まれた際に対向する平面部３０となる対向部３１０、３２０には、突出片３１、３２同士を結合させる結合部材４が設置されている。尚、１対の突出片３１、３２の長さＬ、Ｎは同一でもよいが、異なる構成としてもよい。又、結合部材４としては特に限定されないが、スナップボタンや面ファスナーを用いることが出来る。
【００２１】
図４に示すように、結合部材４としてスナップボタン４１を用いる場合には、一方の対向部３１０又は対向部３２０に雄型ボタン４１１を、他方の対向部３２０又は対向部３１０に雌型ボタン４１２を縫着により固定して結合部材４が構成されている。
【００２２】
又、図５に示すように、結合部材４として面ファスナー４２を用いる場合には、一方の対向部３１０又は対向部３２０にフック部材を備えたフック片４２１を、他方の対向部３２０又は対向部３１０にループ部材を備えたループ片４２２を縫着により固定して結合部材４が構成されている。
【００２３】
図１及び図２に示す実施の形態においては、全ての固定部３は、１対の突出片３１、３２が水平方向（図で左右方向）に並列して設置されているが、固定部３は、図３に示すように、１対の突出片３１、３２がゼッケン１の側端部では垂直方向（図で上下方向）に並列して設置され、上下端部では水平方向に並列して設置された構成のように、１対の突出片３１、３２が、一部の固定部３は水平方向、他の固定部３は垂直方向に並列して設置されてもよい。更に、図示はしないが、全ての固定部３において、１対の突出片が垂直方向に並列して設置された構成としてもよい。
【００２４】
突出片３１、３２の材質は特に限定されず、織物、編物、不織布、柔軟性を備えた合成樹脂等を使用することが出来るが、ゼッケン１の基体１０と同一の素材で構成することが好ましい。１対の突出片３１、３２は、図６に示すように、１個の部材を用いて構成している（図６（ａ））。具体的には１枚の突出片用部材３００の中央部分３９をゼッケン１の基体１０の裏面１１に縫製等により固定して構成している（図６（ａ））が、別個の２枚の突出片用部材３０１の端部３９１を夫々ゼッケン１の基体１０の裏面１１に固定して構成してもよい（図６（ｂ））。突出片３１、３２のゼッケン１への固定は夫々の材質に応じて縫着、接着等により行う。
【００２５】
ユニフォーム５のゼッケン１を固定する箇所として、これらには限定されないが、ユニフォーム５の背面、胸部、上腕部等があるが、ここでは背面を例にして説明する。図７及び図８に示すように、ユニフォーム５のゼッケン１を固定する箇所、ユニフォーム５の背面５１には、突出片３１、３２を夫々挿入するための１対の挿入孔５７、５８が、ゼッケン１に設けられた突出片３１、３２の数、位置及び向きに対応して設けられている。挿入孔５７、５８は、突出片３１、３２を挿入した際に突出片３１、３２の挿入孔５７、５８内での移動を防止し、ゼッケン１のユニフォーム５への位置固定を確実にするために、突出片３１、３２の断面と同形状に構成することが好ましい。更には、より確実な移動防止のために、まちを構成せず、ユニフォーム５に入れた切れ目で構成することが好ましい。
【００２６】
ゼッケン１のユニフォーム５への固定は、先ず、ユニフォーム５に設けられた一対の挿入孔５７、５８に、ユニフォーム５の背面５１の表面５１１から裏面５１２に向けて固定部３を構成する一対の突出片３１、３２を挿入する。次いで、一対の突出片３１、３２をユニフォーム５の裏面５１２に重なるように折り畳み、突出片３１、３２同士を重ねて、対向部３１０、３２０を対向させ、結合部材４で結合させる。具体的には、結合部材４、図７及び図８で図示するスナップボタン４１を用いた実施の形態においては、対向部３１０、３２０に固定された雄型ボタン４１１と雌型ボタン４１２を嵌め合わせて、或いは図５に示す面ファスナー４２を用いる場合には、フック片４２１とループ片４２２を結合させて、突出片３１、３２同士を結合させる。そして、突出片３１、３２同士が結合すると、一対の突出片３１、３２は挿入孔５７、５８から脱離することが出来なくなり、ゼッケン１をユニフォーム５へ固定する。
【００２７】
ユニフォーム５からゼッケン１を外す際には、嵌め合わされた雄型ボタン４１１と雌型ボタン４１２を外して、或いはフック片４２１とループ片４２２を剥して、対向部３１０、３２０同士の固定を解き、全ての固定部３において、固定部３を構成する一対の突出片３１、３２の固定を解き、夫々の突出片３１、３２を挿入されている挿入孔５７、５８から抜いて行う。
【００２８】
このような衣服への表示体の取付構造は、ユニフォームへの背番号が記載されたゼッケンの取付に限定されず、体操着への名前、学年、クラス等が記載されたゼッケンの取付、被服の模様を構成する着脱可能な表示体の衣服への取付等に用いることが出来る。
【産業上の利用可能性】
【００２９】
以上のような本発明によれば、ゼッケン等の表示体のユニフォーム等の被服への着脱が容易に行えるので、ゼッケン等の表示体の着脱が不可欠な用途に適用することが出来る。そして、ユニフォーム等の被服の新たな需要を喚起することにより、被服産業において大いに利用可能性がある。
【符号の説明】
【００３０】
１      ゼッケン
１０    基体
１８    背番号
３      固定部
３１    突出片
３１０  対向部
３２    突出片
３２０  対向部
４      結合部材
４１    スナップボタン
４２    面ファスナー
５      ユニフォーム
５７    挿入孔
５８    挿入孔
【図１】
2019056748.tif 000003
【図２】
2019056748.tif 000004
【図３】
2019056748.tif 000005
【図４】
2019056748.tif 000006
【図５】
2019056748.tif 000007
【図６】
2019056748.tif 000008
【図７】
2019056748.tif 000009
【図８】
2019056748.tif 000010